(57)【特許請求の範囲】
【請求項１】
画像を表示する画像表示装置であって、
画像情報と前記画像情報に関連した関連情報とを組み合わせた単位表示情報を画面に表示する画像表示部と、
前記関連情報に対応する項目名の一覧を前記単位表示情報が表示されるのと同じ画面における別の領域に表示する項目名表示部と、
前記項目名表示部に、前記関連情報として前記画像情報に対応付けて表示させる前記項目名の指定を受け付ける表示項目指定部と、
前記単位表示情報を、前記関連情報を用いてソートするソート処理部と、を備え、
前記項目名表示部は、表示する前記複数の項目名のうち、前記指定された項目名を前記単位表示情報のソートに用いるソートキーの選択候補として表示し、前記選択候補として表示された前記項目名の中から、前記単位表示情報のソートに用いるソートキーの選択を受け付けるソートキー選択部を備え、
前記ソート処理部は、前記選択されたソートキーに対応する前記関連情報に基づいて前記単位表示情報をソートすること特徴とする画像表示装置。
【請求項２】
前記項目名表示部は、前記関連情報が前記単位表示情報に組み込まれるべく指定されたか否かを視覚的に表す指定指標を、前記複数の項目名に付加して表示する請求項１に記載の画像表示装置。
【請求項３】
前記単位表示情報を格納する格納部をさらに備える請求項１に記載の画像表示装置。
【請求項４】
前記画像表示部は、指定された前記関連情報の数が多いほど、前記単位表示情報を大きく表示する請求項１に記載の画像表示装置。
【請求項５】
画像を表示する画像表示方法であって、
画像情報と前記画像情報に関連した関連情報とを組み合わせた単位表示情報を画面に表示する手順と、
前記関連情報に対応する項目名の一覧を前記単位表示情報が表示されるのと同じ画面における別の領域に表示する項目名表示手順と、
前記項目名表示手順は、前記単位表示情報として前記画像情報に対応付けて表示させる前記項目名の指定を受け付ける手順と、
前記単位表示情報を、前記関連情報を用いてソートするソート処理手順と、を備え、
前記項目名表示手順は、表示する前記複数の項目名のうち、前記指定された項目名を前記単位表示情報のソートに用いるソートキーの選択候補として表示し、前記選択候補として表示された前記項目名の中から、前記単位表示情報のソートに用いるソートキーの選択を受け付ける手順を備え、
前記ソート処理手順は、前記選択されたソートキーに対応する前記関連情報に基づいて前記単位表示情報をソートすることを特徴とする画像表示方法。
【請求項６】
画像を表示する画像表示装置を制御するプログラムであって、前記画像表示装置に、
画像情報と前記画像情報に関連した関連情報とを組み合わせた単位表示情報を画面に表示する機能と、
前記関連情報に対応する項目名の一覧を前記単位表示情報が表示されるのと同じ画面における別の領域に表示する項目名表示機能と、
前記項目名表示機能に、前記単位表示情報として前記画像情報に対応付けて表示させる前記項目名の指定を受け付ける機能と、
前記単位表示情報を、前記関連情報を用いてソートするソート処理機能と、を含み、
前記項目名表示機能は、表示する前記複数の項目名のうち、前記指定された項目名を前記単位表示情報のソートに用いるソートキーの選択候補として表示し、前記選択候補として表示された項目名のうち、前記単位表示情報のソートに用いるソートキーの選択を受け付ける機能を備え、
前記ソート処理機能は、前記選択されたソートキーに対応する前記関連情報に基づいて前記単位表示情報をソートすることを実現させるプログラム。
【発明の詳細な説明】
【技術分野】
【０００１】
本発明は、画像表示装置、画像表示方法、および、プログラムに関する。特に、本発明は、画像を画面に表示する画像表示装置、画像表示方法、および、プログラムに関する。
【背景技術】
【０００２】
過去に撮像した撮像画像に加えて、撮像時におけるシャッター速度等の撮像情報を表示する場合に、撮像画像が表示された画面を、表示すべき撮像情報をユーザが指定するための設定画面に切り替えて、当該指定を受け付けるカメラが知られている（例えば、特許文献１参照。）。また、表形式（格子状）の画面を表示する情報表示装置であって、ユーザが指定した表示項目の表示領域を拡大できる情報表示装置が知られている（例えば、特許文献２参照。）。
【特許文献１】特開２００３−３３８９５３号公報
【特許文献２】特開２００４−２１７０４号公報
【発明の開示】
【発明が解決しようとする課題】
【０００３】
しかしながら、特許文献１のカメラでは、ユーザは、撮像画像が表示されている画面を、撮像情報を指定する画面に切り替えて、その表示すべき撮像情報に係る項目を確認、および、設定する。したがって、特許文献１のカメラでは、ユーザは、撮像画像が表示されている状態においては、その撮像画像に加えて表示することができる撮像情報の項目を容易に把握することができないという不具合がある。
【０００４】
また、特許文献２の情報表示装置では、ユーザは、表示領域を拡大できる表示項目を一見して把握することができないという不具合がある。特に、表示項目が多い場合に、表示項目が一画面に収まらないので、表示項目を一見して把握することができないという不具合がある。
【課題を解決するための手段】
【０００５】
上記課題を解決するために、本発明の第１の形態においては、画像を画面に表示する画像表示装置であって、画像情報を格納した画像情報フィールドおよび画像情報に関連した複数の関連情報を項目名に対応付けて格納する関連情報フィールドを組み合わせた複数のレコードについて、画像情報と関連情報フィールドに含まれる複数の関連情報のうちで指定された関連情報とを組み合わせた単位表示情報を生成し、画面に表示する画像表示部と、関連情報フィールドに格納された複数の関連情報に対応する複数の項目名の一覧を、画像表示部により単位表示情報が表示されるのと同じ画面における別の領域に表示する項目名表示部とを備える。これにより、画像情報に対応付けて表示させる項目名の一覧を、特別な操作をすることなく、ユーザに見易く表示することができる。
【０００６】
項目名表示部は、複数の関連情報のそれぞれが単位表示情報に組み込まれるべく指定されたか否かを視覚的に表す指定指標を、複数の項目名に付加して表示してもよい。これにより、画像情報に対応付けて表示させる項目を、ユーザに容易に指定させることができる。
【０００７】
画像表示装置は、複数のレコードを、関連情報を用いてソートするソート処理部をさらに備え、ソート処理部は、項目名表示部により表示される複数の項目名のうち、指定された関連情報に対応する項目名を、ソートに用いる関連情報として表示してもよい。これにより、ソートキーとして用いる項目を、ユーザに容易に指定させることができる。
【０００８】
画像表示装置は、複数のレコードを格納する格納部をさらに備えてもよい。格納部を備える場合であっても、上記と同様の効果を得ることができる。
【０００９】
画像表示部は、指定された関連情報の数が多いほど、単位表示情報を大きく表示してもよい。これにより、画像情報に対応付けて表示させる項目の数が多い場合であっても、文字の大きさを縮小させることなく、かつ、一覧で、表示させることができる。
【００１０】
上記課題を解決するために、本発明の第２の形態においては、画像を画面に表示する画像表示方法であって、画像情報を格納した画像情報フィールドおよび画像情報に関連した複数の関連情報を項目名に対応付けて格納する関連情報フィールドを組み合わせた複数のレコードについて、画像情報と関連情報フィールドに含まれる複数の関連情報のうちで指定された関連情報とを組み合わせた単位表示情報を生成し、画面に表示する手順と、関連情報フィールドに格納された複数の関連情報に対応する複数の項目名の一覧を、単位表示情報が表示されるのと同じ画面における別の領域に表示する手順とを備える。これにより、第１の実施形態と同一の効果を得ることができる。
【００１１】
上記課題を解決するために、本発明の第３の形態においては、画像を画面に表示する画像表示装置を制御するプログラムであって、画像表示装置に、画像情報を格納した画像情報フィールドおよび画像情報に関連した複数の関連情報を項目名に対応付けて格納する関連情報フィールドを組み合わせた複数のレコードについて、画像情報と関連情報フィールドに含まれる複数の関連情報のうちで指定された関連情報とを組み合わせた単位表示情報を生成し、画面に表示する画像表示機能、および、関連情報フィールドに格納された複数の関連情報に対応する複数の項目名の一覧を、画像表示機能により単位表示情報が表示されるのと同じ画面における別の領域に表示する項目名表示機能を実現させる。これにより、第１の実施形態と同一の効果を得ることができる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１４】
図１は、ひとつの実施形態に係る画像表示装置１０の構造を模式的に示す。図２は、レコード２１０のデータ構造を模式的に示す。図３は、画面３００に表示される表示画像３０を示す。
【００１５】
画像表示装置１０は、図１に示すように、情報処理装置１００、この情報処理装置１００との間で情報を送受信するデジタルカメラ１１２、キーボード１２２、マウス１２４、および、ディスプレイ１５２を有する。また、情報処理装置１００は、項目名表示部１３０、および、画像表示部１４０を備える。
【００１６】
画像表示装置１０は、ディスプレイ１５２に表示する表示画像の一例として、図３に示す表示画像３０をディスプレイ１５２に表示する。表示画像３０は、図３に示すように、サムネイル表示ウインドウ３０２、および、指示ウインドウ３０８を有する表示画像３０を画面３００に表示する。
【００１７】
画像表示部１４０は、図２に示す画像情報２２２を格納した画像情報フィールド２２０、および、画像情報２２２に関連した複数の関連情報を項目名に対応付けて格納する関連情報フィールド２３０を組み合わせた複数のレコード２１０について、画像情報２２２と、関連情報フィールド２３０に含まれる複数の関連情報のうちで指定された関連情報とを組み合わせた単位表示情報３１０を生成する。
【００１８】
ここで、関連情報とは、例えば、デジタルカメラ１１２で撮影した画像のファイルにＥＸＩＦ規格に従って付加される情報をいう。具体的には、関連情報は、例えば、撮影に使用された撮影機器情報、撮影解像度、画像方向、撮影の諸条件、用いられたカラースペース、撮影日時を含む情報をいう。
【００１９】
また、関連情報は、スキャナを用いて画像情報２２２を作成した場合では、使用した情報処理装置１００のファイルシステムにより付加される、ファイル作成日時等であってもよい。さらに、関連情報は、画像処理ソフトウェアにより処理された画像情報２２２では、ファイルの編集履歴情報等であってもよい。図２に示す撮影機材情報２３２、撮影日情報２３４、撮影場所情報２３６、および、ファイル名２３８は、関連情報の一例を示す。なお、レコード２１０は、後述する格納部１１０に格納されてもよい。
【００２０】
画像表示部１４０は、また、生成した単位表示情報３１０を図３に示すサムネイル表示ウインドウ３０２に表示する。すなわち、画像表示部１４０は、画像情報２２２の縮小画像であるサムネイル画像３２０と、関連情報フィールド２３０に含まれる複数の関連情報のうち指定された関連情報である表示関連情報３３０とを、単位表示情報３１０としてサムネイル表示ウインドウ３０２に表示する。
【００２１】
項目名表示部１３０は、関連情報フィールド２３０に格納された複数の関連情報に対応する複数の項目名の一覧を、画像表示部１４０により単位表示情報３１０が表示されるのと同じ画面３００における別の領域に表示する。具体的には、項目名表示部１３０は、関連情報フィールド２３０に格納された複数の関連情報に対応する関連情報項目３６０を、表示画像３０の指示ウインドウ３０８に表示する。これにより、画像情報２２２に対応付けて表示させる項目名の一覧を、特別な操作をすることなく、ユーザに見易く表示することができる。すなわち、新たに、項目名の一覧を表示するウインドウを表示させる等の操作をすることなく、単位表示情報３１０が表示されるのと同じ画面３００で項目名の一覧を確認することができる。この場合に、画像表示部１４０は、画面３００の大きさに関わらずサムネイル表示ウインドウ３０２と指示ウインドウ３０８とを表示中の一画面内に並べて表示することが好ましい。
【００２２】
なお、サムネイル画像３２０は図２における画像情報フィールド２２０に格納されている画像を縮小した画像であるが、図３では、説明の便宜上、当該サムネイル画像に替えてその画像に関連した関連情報を示した。サムネイル表示ウインドウ３０２は、その右辺および下辺に垂直スクロールバー３０４および水平スクロールバー３０６をそれぞれ備えており、図３に示す数よりも多数の単位表示情報３１０を画面３００上に表示することができる。
【００２３】
また、指示ウインドウ３０８は、その右辺、および、下辺に垂直スクロールバー３０４および水平スクロールバー３０６をそれぞれ備えており、図３に示す数よりも多数の項目を表示することができる。
【００２４】
項目名表示部１３０は、また、複数の関連情報のそれぞれが単位表示情報３１０に組み込まれるべく指定されたか否かを視覚的に表す指定指標を、複数の項目名に付加して表示する。これにより、画像情報２２２に対応付けて表示させる項目を、ユーザに容易に指定させることができる。
【００２５】
例えば、項目名表示部１３０は、図３に示すように、指示指標の一例として、指示ウインドウ３０８に、表示項目指定部３５０を関連情報項目３６０に対応付けて表示する。具体的には、項目名表示部１３０は、各関連情報項目３６０の左側に、チェックボックスとして表示項目指定部３５０を表示する。
【００２６】
項目名表示部１３０は、また、表示項目指定部３５０を介して、指示ウインドウ３０８に表示された関連情報項目３６０のうち、サムネイル表示ウインドウ３０２に表示関連情報３３０として表示すべき関連情報を指定する旨のユーザからの指示を受け付ける。具体的には、項目名表示部１３０は、表示項目指定部３５０に、マウス１２４を介して被選択表示３５２が付されることによって、表示関連情報３３０として表示すべき関連情報を指定する旨のユーザからの指示を受け付ける。なお、項目名表示部１３０は、複数の表示項目指定部３５０に、被選択表示３５２が付されたときは、その複数の関連情報を指定する旨のユーザからの指示として受け付ける。これにより、ソートキーとして用いる項目を、ユーザに容易に指定させることができる。
【００２７】
ここで図３は、指示ウインドウ３０８の最下段の関連情報項目３６０「ファイル名」に対応する表示項目指定部３５０に、被選択表示３５２が付されたことを示す。
【００２８】
情報処理装置１００は、さらに、複数のレコード２１０を、関連情報を用いてソートするソート処理部１２０を備える。画像表示部１４０は、ソート処理部１２０によってソートされた複数のレコード２１０に基づいて、単位表示情報３１０を再生成し、サムネイル表示ウインドウ３０２に再表示する。
【００２９】
ソート処理部１２０は、また、項目名表示部１３０により表示される複数の項目名のうち、指定された関連情報に対応する項目名を、ソートに用いる関連情報として表示する。ソート処理部１２０は、その対応する項目名を、ソートに用いる関連情報として自ら表示することにかえて、図１に示すように、その対応する項目名を、項目名表示部１３０に供給し、項目名表示部１３０よって表示させてもよい。
【００３０】
具体的には、ソート処理部１２０は、図３に示すように、項目名表示部１３０により表示された関連情報項目３６０のうちソート処理部１２０によってソートさせるべき項目を指定する旨のユーザからの指示を受け付ける、ソートキー指定部３４０を、項目名表示部１３０によって、関連情報項目３６０に対応付けて表示させる。例えば、ソート処理部１２０は、ラジオボタンとしてソートキー指定部３４０を、項目名表示部１３０によって表示させる。
【００３１】
ただし、ソート処理部１２０は、表示項目指定部３５０に被選択表示３５２が付されている関連情報項目３６０に対応付けて、ユーザからの指示を受け付けることができるソートキー指定部３４０（以下、「アクティブなソートキー指定部３４０」という。）を、項目名表示部１３０によって表示させる。例えば、ソート処理部１２０は、図３に示すように、被選択表示３５２が付されている関連情報項目３６０「ファイル名」に、アクティブなソートキー指定部３４０（太字のラジオボタンで示す）を、項目名表示部１３０によって表示させる。
【００３２】
一方、ソート処理部１２０は、表示項目指定部３５０に被選択表示３５２が付されていない関連情報項目３６０に対応付けて、ユーザからの指示を受け付けることができないソートキー指定部３４０（以下、「非アクティブなソートキー指定部３４０」という。）を、項目名表示部１３０によって表示させる。例えば、ソート処理部１２０は、図３に示すように、被選択表示３５２が付されていない関連情報項目３６０「撮影機種」等に、非アクティブなソートキー指定部３４０（細字のラジオボタンで示す）を、項目名表示部１３０によって表示させる。
【００３３】
換言すれば、ソート処理部１２０は、サムネイル表示ウインドウ３０２に表示関連情報３３０として表示された項目についての関連情報項目３６０に対応付けてアクティブなソートキー指定部３４０を、サムネイル表示ウインドウ３０２に表示関連情報３３０として表示されていない項目についての関連情報項目３６０に対応付けて非アクティブなソートキー指定部３４０を、項目名表示部１３０によって表示させる。これにより、ソートキーとして用いることができる項目をユーザに容易に視認させることができる。
【００３４】
項目名表示部１３０は、また、アクティブなソートキー指定部３４０を介して、ソート処理部１２０によってソートさせるべき項目を指定する旨のユーザからの指示を受け付ける。具体的には、項目名表示部１３０は、アクティブなソートキー指定部３４０に、マウス１２４を介して被指定表示３４２が付されることによって、ソートさせるべき項目を指定する旨のユーザからの指示を受け付ける。項目名表示部１３０は、ソートさせるべき項目を指定する旨のユーザからの指示を受け付けたときは、ソート処理部１２０に、指定された項目を通知する。
【００３５】
なお、ソート処理部１２０は、項目名表示部１３０に代わり、ソート処理部１２０によってソートさせるべき項目を指定する旨のユーザからの指示を受け付けてもよい。
【００３６】
情報処理装置１００は、さらに、複数のレコード２１０を格納する格納部１１０を備える。格納部１１０には、情報処理装置１００に接続されたデジタルカメラ１１２、スキャナ等から供給された画像情報２２２が、関連情報と共に格納される。格納部１１０には、複数のレコード２１０を画像毎に格納されている。換言すれば、格納部１１０には、格納された画像情報２２２の数に対応した複数のレコード２１０が格納されている。格納部１１０を備える場合であっても、上記と同様の効果を得ることができる。
【００３７】
画像表示部１４０は、表示項目指定部３５０を介してユーザにより指定された関連情報項目３６０の数が多いほど、単位表示情報３１０を大きく表示する。すなわち、画像表示部１４０は、単位表示情報３１０としてサムネイル表示ウインドウ３０２に表示された表示関連情報３３０の数が多いほど、単位表示情報３１０を大きく表示する。これにより、画像情報２２２に対応付けて表示させる項目の数が多い場合であっても、文字の大きさを縮小させることなく、かつ、一覧で、表示させることができる。
【００３８】
記憶媒体１０２は、格納部１１０、ソート処理部１２０、項目名表示部１３０、および、画像表示部１４０の動作を行わせるプログラムを格納する。情報処理装置１００は記憶媒体１０２に格納された上記プログラムをインストールすることにより、格納部１１０等の動作を行わせてもよい。さらに、他の方法として、情報処理装置１００は、そのようなプログラムを、通信回線を介して取得してもよい。
【００３９】
図４から図８は、画面３００に表示される他の表示画像３１、３２、３３、３４、３５を示す。図４は、図３に示す表示画像３０において、関連情報項目３６０「ファイル名」に対応付けて表示された表示項目指定部３５０に加えて、さらに、関連情報項目３６０「撮影機種」、「撮影日」、「撮影場所」に対応付けて表示された表示項目指定部３５０にも、被選択表示３５２が付された場合の表示画像３１を示す。
【００４０】
表示画像３１の単位表示情報３１０に含まれる表示関連情報３３０の数（関連情報項目３６０「撮影機種」、「撮影日」、「撮影場所」、「ファイル名」の４つ）は、表示画像３０の単位表示情報３１０に含まれる表示関連情報３３０の数（表示関連情報３３０「ファイル名」の１つ）よりも多い。このため、表示画像３１の単位表示情報３１０は、表示画像３０の単位表示情報３１０よりも大きく表示されている。
【００４１】
すなわち、画像表示部１４０は、表示項目指定部３５０を介してユーザにより指定された関連情報項目３６０の数が多いほど、単位表示情報３１０を大きく表示している。これにより、画像情報２２２に対応付けて表示させる項目の数が多い場合であっても、文字の大きさを縮小させることなく、かつ、一覧で、表示させることができる。
【００４２】
図５は、図４に示す表示画像３１において、関連情報項目３６０「撮影機種」に対応付けて表示されたソートキー指定部３４０に、被指定表示３４２が付された場合の表示画像３２を示す。
【００４３】
ソート処理部１２０は、表示画像３１、３２に示すように、被選択表示３５２が付されている関連情報項目３６０「撮影機種」、「撮影日」、「撮影場所」、「ファイル名」に対応付けて、アクティブなソートキー指定部３４０を、項目名表示部１３０によって指示ウインドウ３０８に表示させている。これにより、ソートキーとして用いる項目を、ユーザに容易に指定させることができる。
【００４４】
なお、ソート処理部１２０は、アクティブなソートキー指定部３４０を項目名表示部１３０よって表示させることにかえて、自ら表示してもよい。
【００４５】
図６、および、図７は、表示画像３０、３１、３２とは異なる様式の表示画像３３、３４を示す。具体的には、表示画像３３、３４の指示ウインドウ３０８は、表示画像３０、３１、３２の指示ウインドウ３０８と様式が異なる。なお、表示画像３３、３４のサムネイル表示ウインドウ３０２（単位表示情報３１０も含む）は、それぞれ、表示画像３１、３２のサムネイル表示ウインドウ３０２（単位表示情報３１０も含む）と同一である。
【００４６】
表示画像３３、３４の指示ウインドウ３０８は、ユーザの選択により切り替えることができるタブ４４０、４４２を有する。タブ４４０は、表示画像３３に示すように、関連情報項目３６０に対応付けて表示項目指定部３５０を有する（ソートキー指定部３４０を有しない。）。一方、タブ４４２は、表示画像３４に示すように、関連情報項目３６０に対応付けてソートキー指定部３４０を有する（表示項目指定部３５０を有しない。）。
【００４７】
項目名表示部１３０は、タブ４４０の関連情報項目３６０、タブ４４０の表示項目指定部３５０、タブ４４２の関連情報項目３６０、および、タブ４４２のソートキー指定部３４０を表示する。
【００４８】
ソート処理部１２０は、タブ４４２の関連情報項目３６０、および、タブ４４２のソートキー指定部３４０を項目名表示部１３０よって表示させる。なお、ソート処理部１２０は、タブ４４２の関連情報項目３６０、および、タブ４４２のソートキー指定部３４０を項目名表示部１３０よって表示させることにかえて、自ら表示してもよい。
【００４９】
図８は、表示画像３０から３４とは異なる様式の表示画像３５を示す。具体的には、表示画像３５のサムネイル表示ウインドウ３０２は、表示画像３０から３４のサムネイル表示ウインドウ３０２と様式が異なる。なお、表示画像３５の指示ウインドウ３０８は、表示画像３２の指示ウインドウ３０８と同一である。
【００５０】
表示画像３５のサムネイル表示ウインドウ３０２は、水平線で分割した単位表示情報３１０により形成されている。単位表示情報３１０の高さは、サムネイル画像３２０の高さに近く、その余の領域は右側方に延在している。したがって、表示関連情報３３０を多数、表示できる。また、文章等の長い表示関連情報３３０を見易く表示することができる。
【００５１】
なお、画像表示部１４０は、表示画像３５に示すように、表示関連情報３３０の数に関わらず、単位表示情報３１０の大きさを一定としてもよい。
【００５２】
本実施形態によれば、画像情報２２２に対応付けて表示させる項目名の一覧を、特別な操作をすることなく、ユーザに見易く表示することができる。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５４】
【図１】ひとつの実施形態に係る画像表示装置１０の構造を模式的に示す。
【図２】レコード２１０のデータ構造を模式的に示す。
【図３】画面３００に表示される表示画像３０を示す。
【図４】画面３００に表示される他の表示画像３１を示す。
【図５】画面３００に表示される他の表示画像３２を示す。
【図６】画面３００に表示される他の表示画像３３を示す。
【図７】画面３００に表示される他の表示画像３４を示す。
【図８】画面３００に表示される他の表示画像３５を示す。
【符号の説明】
【００５５】
１０  画像表示装置、３０  表示画像、３１  表示画像、３２  表示画像、３３  表示画像、３４  表示画像、３５  表示画像、１００  情報処理装置、１０２  記憶媒体、１１０  格納部、１１２  デジタルカメラ、１２０  ソート処理部、１２２  キーボード、１２４  マウス、１３０  項目名表示部、１４０  画像表示部、１５２  ディスプレイ、２１０  レコード、２２０  画像情報フィールド、２２２  画像情報、２３０  関連情報フィールド、２３２  撮影機材情報、２３４  撮影日情報、２３６  撮影場所情報、２３８  ファイル名、３００  画面、３０２  サムネイル表示ウインドウ、３０４  垂直スクロールバー、３０６  水平スクロールバー、３０８  指示ウインドウ、３１０  単位表示情報３２０  サムネイル画像、３３０  表示関連情報、３４０  ソートキー指定部、３４２  被指定表示、３５０  表示項目指定部、３５２  被選択表示、３６０  関連情報項目、４４０  タブ、４４２  タブ
【図１】
0004650178.tif 000002
【図２】
0004650178.tif 000003
【図３】
0004650178.tif 000004
【図４】
0004650178.tif 000005
【図５】
0004650178.tif 000006
【図６】
0004650178.tif 000007
【図７】
0004650178.tif 000008
【図８】
0004650178.tif 000009